(57)【要約】【課題】  夜間の黙視性向上を図り、照明器具が壊れにくく、電力効率が高く、再使用可能な照明付部材収納箱を提供することを課題とする。【解決手段】  小物部品を収納する収納容器の仕切板内に面実装ＬＥＤを内包し、前面より放出される光と後面より放出される光の両方を利用すると共に、放出される光を蓄光材に蓄える照明部と、箱体下部の収納容器内部を照明する容器との一体構造の透光性パイプ内部にＬＥＤ基板又は冷陰極管を挿入し、放出される光を蓄光材に蓄える照明部とを備え、照明器具を保護すると共に、電気エネルギーによ発光と蓄光エネルギーによる発光を時分割で制御し、電力効率を高める。【選択図】図１
2010264216.tif 000002
【特許請求の範囲】
【請求項１】
蝶番で連結された上下２分割の箱体を形成し、箱体開閉時に小物部品を収納する複数の収納容器が連結棒により昇降と平行移動する小道具収納箱、釣り道具収納箱において、小物部品を収納する収納容器の仕切板内に面実装ＬＥＤを内包し、仕切板で仕切った小物部品を収納する収納容器内部を個別に照明する照明器具と、上下２分割の箱体を開く時に昇降と平行移動する小物部品を収納する最下部の収納容器の前底面に配設した照明器具により、小物部品を収納する収納容器内部を個別に照明する照明器具と、箱体を開く開角により照明位置を可変しつつ箱体下部の収納容器内部を照明する照明器具とを備えることを特徴とする照明付部材収納箱。
【請求項２】
蝶番で連結された上下２分割の箱体を形成し、箱体開閉時に小物部品を収納する複数の収納容器が連結棒により昇降と平行移動する小道具収納箱、釣り道具収納箱において、小物部品を収納する収納容器の仕切板内に面実装ＬＥＤを内包し、仕切板で仕切った小物部品を収納する収納容器内部を個別に照明する照明器具と、箱体下部の収納容器内部を照明する箱体下部の収納容器内壁面上部に固定された照明器具とを備えることを特徴とする照明付部材収納箱。
【請求項３】
前記箱体を開く開角により照明位置を可変しつつ箱体下部の収納容器内部を照明する照明器具の光源にはＬＥＤ又は冷陰極管を用い、光源となる部品を保護する構造の小物部品を収納する収納容器前底面と透光性パイプとを一体構造に形成し、透光性パイプ内部に挿入されたＬＥＤ基板又は冷陰極管を保護することを特徴とする請求項１記載の照明付部材収納箱。
【請求項４】
前記箱体下部の収納容器内部を照明する箱体下部の収納容器内壁面上部に固定された照明器具は、砲弾型ＬＥＤの前部球面Ｒ半径の倍率関係になるように構成されたＲ半径を有する容器の光放射部と焦点を一致させ発光面積の拡大を施したことを特徴とする請求項２記載の照明付部材収納箱。
【請求項５】
前記仕切板内に面実装ＬＥＤを内包した収納容器内部を個別に照明する照明器具は、面実装ＬＥＤを前面と後面に内包し、前面より放出される光と、後面より放出される光の両面の放出光を利用することを特徴とする請求項１または２記載の照明付部材収納箱。
【請求項６】
前記仕切板内に面実装ＬＥＤを内包した収納容器内部を個別に照明する照明器具は、仕切板外壁面に蓄光材を混合し蓄光層を形成し、相対関係にある他のＬＥＤより放出される光を蓄光層面で反射させ照明効率を高めたことを特徴とする請求項１または２記載の照明付部材収納箱。
【請求項７】
前記仕切板内に面実装ＬＥＤを内包した収納容器内部を個別に照明する照明器具は、ＬＥＤより放出される直接光と相対関係にある他のＬＥＤより放出される光を蓄光層面で反射した光との効率発光と、仕切板外壁面の蓄光材に蓄えられた蓄光エネルギーによる発光とを、５秒〜３０秒間隔で実行する省エネモードを備えていることを特徴とする請求項１または２記載の照明付部材収納箱。
【請求項８】
前記箱体下部の収納容器内壁面上部に、蓄光材を混合した蓄光層を帯状に形成し、箱体下部の収納容器内部を照明する照明器具より放出される直接光と蓄光層面で反射した光との効率発光と、帯状に形成した蓄光材に蓄えられた蓄光エネルギーによる発光とを、５秒〜３０秒間隔で実行する省エネモードを備えていることを特徴とする請求項１または２記載の照明付部材収納箱。
【請求項９】
前記の各収納容器を形成する箱体の上部開放口の縁に蓄光材を混合し蓄光層を形成し、各照明器具より放出される光を蓄光材に蓄え、全ての照明器具が消灯に至っても箱体の輪郭を認識できることを特徴とする請求項１または２記載の照明付部材収納箱。
【発明の詳細な説明】
【技術分野】
【０００１】  本発明は、小道具収納箱、釣り道具収納箱における夜間の黙視性向上を図る照明付部品及び材料収納箱に関するものである。
【背景技術】
【０００２】  部材収納箱内部の照明方法に、電球による照明、蓄光材発光による照明、ケミライト発光による照明等が知られている。そして、蓄光材発光による蓄光ボックスとケミライト発光による照明技術が考案されている。【０００３】  電球による照明は、従来の懐中電灯をヘッドライトとして用いる方法、懐中電灯の照明部と電源部を分割し照明部を取り付ける方法等がある。この方法は、従来の懐中電灯を利用する点で優れているが、フィラメントが衝撃に弱い事や電球が割れやすい問題点や電力効率が低い問題点がある。【０００４】  特許文献１には、蓄光材を含有するものを保管する箱の蓋の部分に適当な波長の光を発する光源を具備することにより、保存中に、光源のエネルギーが、蓄光材に蓄えられる蓄光ボックスが考案されている。この方法は、蓄光材発光を照明に用いた物ではないが、蓄光材発光は省エネルギーの点で優れている。【０００５】  特許文献２には、釣具や小道具など収納するための収納箱／タックルボックス１にて使う仕切りにケミライト装着可能仕切り１０を使用することによって、ケミライト１３を装着可能になり、暗闇の中でも楽々に小道具などを収納箱／タックルボックス１から取り出すことが可能になり、安全性と利便性を向上した照明付小物収納箱が考案されている。この方法は、ケミライトが化学反応によって発光するものであるため、電力を消費しない点で優れているが、使い捨てである問題点がある。【０００６】
【特許文献１】  登録実用新案第３０１４３６４号公報
【特許文献２】  登録実用新案第３１３１９２８号公報
【発明の開示】
【発明が解決しようとする課題】
【０００７】  そこで本発明は、上記問題点に鑑みて発明されたもので、壊れにくく、電力効率が高く、再使用可能な照明を提供することを課題とする。
【課題を解決するための手段】
【０００８】  上記の課題を達成するため請求項１に記載した照明付部材収納箱は、蝶番で連結された上下２分割の箱体を形成し、箱体開閉時に小物部品を収納する複数の収納容器が連結棒により昇降と平行移動する小道具収納箱、釣り道具収納箱において、小物部品を収納する収納容器の仕切板内に面実装ＬＥＤを内包し、仕切板で仕切った小物部品を収納する収納容器内部を個別に照明する照明器具と、上下２分割の箱体を開く時に昇降と平行移動する小物部品を収納する最下部の収納容器の前底面に配設した照明器具により、小物部品を収納する収納容器内部を個別に照明する照明器具と、箱体を開く開角により照明位置を可変しつつ箱体下部の収納容器内部を照明する照明器具とを備えることを特徴としている。【０００９】  この発明においては、小物部品の収納部と箱体下部の収納部を照明する照明器具に照度の違いを設定している。小物部品を収納する収納容器内は、部品を容易に判別できるように仕切板内に面実装ＬＥＤを内包した近接照明とし、仕切板で仕切った小物部品を収納する収納容器内部を個別に照明する照明方法を用いている。【００１０】  また、中型や長尺の工具やリールやロッドの釣り道具を収納する箱体下部の収納容器内は、長型で一個体の照明器具を用い箱体を開く開角により照明位置を可変しつつ収納容器内部全体を照明する照明方法を用いている。【００１１】  請求項２に記載した照明付部材収納箱は、蝶番で連結された上下２分割の箱体を形成し、箱体開閉時に小物部品を収納する複数の収納容器が連結棒により昇降と平行移動する小道具収納箱、釣り道具収納箱において、小物部品を収納する収納容器の仕切板内に面実装ＬＥＤを内包し、仕切板で仕切った小物部品を収納する収納容器内部を個別に照明する照明器具と、箱体下部の収納容器内部を照明する箱体下部の収納容器内壁面上部に固定された照明器具とを備えることを特徴としている。【００１２】  この発明においては、小物部品を収納する収納容器内部を個別に照明する照明方法は請求項１と同じであるが、中型や長尺の工具やリールやロッドの釣り道具を収納する箱体下部の収納容器内は、箱体下部の収納容器内壁面上部に固定された照明器具により収納容器内部全体を照明する照明方法を用いている点が異なる。【００１３】  請求項３に記載した照明付部材収納箱は、前記箱体を開く開角により照明位置を可変しつつ箱体下部の収納容器内部を照明する照明器具の光源にはＬＥＤ又は冷陰極管を用い、光源となる部品を保護する構造の小物部品を収納する収納容器前底面と透光性パイプとを一体構造に形成し、透光性パイプ内部に挿入されたＬＥＤ基板又は冷陰極管を保護することを特徴としている。【００１４】  この発明においては、部材収納箱の使用状況が煩雑になる傾向にあり、光源に用いるＬＥＤ基板や冷陰極管が壊れやすいため、収納容器前底面と透光性パイプとの一体構造とした透光性パイプ内部に収容し、ＬＥＤ基板、冷陰極管を保護する構造を採用している。【００１５】  請求項４に記載した照明付部材収納箱の、前記箱体下部の収納容器内部を照明する箱体下部の収納容器内壁面上部に固定された照明器具は、砲弾型ＬＥＤの前部球面Ｒ半径の倍率関係になるように構成されたＲ半径を有す��容器の光放射部と焦点を一致させ発光面積の拡大を施したことを特徴としている。【００１６】  この発明においては、中型や長尺の工具やリールやロッドの釣り道具を収納する箱体下部の収納容器内は、箱体下部の収納容器内壁面上部に固定された発光面積の拡大を施した照明器具を用いているので、砲弾型ＬＥＤの数を削減でき省エネルギー化が可能となる。【００１７】  請求項５に記載した照明付部材収納箱の、前記仕切板内に面実装ＬＥＤを内包した収納容器内部を個別に照明する照明器具は、面実装ＬＥＤを前面と後面に内包し、前面より放出される光と、後面より放出される光の両面の放出光を利用することを特徴としている。【００１８】  この発明においては、通常使用されない後面より放出される光を利用するため、プリント基板両面に表面実装するＬＥＤを実装し、仕切板の後面より放出される光も利用可能としている。【００１９】  請求項６に記載した照明付部材収納箱の、前記仕切板内に面実装ＬＥＤを内包した収納容器内部を個別に照明する照明器具は、仕切板外壁面に蓄光材を混合し蓄光層を形成し、相対関係にある他のＬＥＤより放出される光を蓄光層面で反射させ照明効率を高めたことを特徴としている。【００２０】  この発明においては、前面より放出される光と、後面より放出される光の両方を利用することが可能なため、仕切板外壁面に蓄光材を混合し蓄光層を形成することにより、相対関係にある他のＬＥＤより放出される光により蓄光層面で反射させ反射鏡としての役割を果たし反射間接光として利用している。【００２１】  請求項７に記載した照明付部材収納箱の、前記仕切板内に面実装ＬＥＤを内包した収納容器内部を個別に照明する照明器具は、ＬＥＤより放出される直接光と相対関係にある他のＬＥＤより放出される光を蓄光層面で反射した光との効率発光と、仕切板外壁面の蓄光材に蓄えられた蓄光エネルギーによる発光とを、５秒〜３０秒間隔で実行する省エネモードを備えていることを特徴としている。【００２２】  この発明においては、通常動作状態において５秒〜３０秒の通電時間と未通電時間を設定し、通電時間内はＬＥＤより放出される直接光と相対関係にある他のＬＥＤより放出される光エネルギーによる反射間接光との効率発光を、未通電時間内は仕切板外壁面の蓄光材に蓄えられた蓄光エネルギーによる発光を利用している。【００２３】  請求項８に記載した照明付部材収納箱は、前記箱体下部の収納容器内壁面上部に、蓄光材を混合した蓄光層を帯状に形成し、箱体下部の収納容器内部を照明する照明器具より放出される直接光と蓄光層面で反射した光との効率発光と、帯状に形成した蓄光材に蓄えられた蓄光エネルギーによる発光とを、５秒〜３０秒間隔で実行する省エネモードを備えていることを特徴としている。【００２４】  この発明においては、通常動作状態において５秒〜３０秒の通電時間と未通電時間を設定し、通電時間内はＬＥＤ又は冷陰極管より放出される直接光と蓄光材を混合して帯状に形成した蓄光層より放出される反射間接光との効率発光を、未通電時間内は帯状に形成した蓄光層に蓄えられた蓄光エネルギーによる発光を利用している。【００２５】  請求項９に記載した照明付部材収納箱は、前記の各収納容器を形成する箱体の上部開放口の縁に蓄光材を混合し蓄光層を形成し、各照明器具より放出される光を蓄光材に蓄え、全ての照明器具が消灯に至っても箱体の輪郭を認識できることを特徴としている。【００２６】  この発明においては、照明器具が点灯している間に箱体の上部開放口の縁に形成された蓄光層の蓄光材に蓄えられた蓄光エネルギーにより箱体の上部開放口の縁が発光し、箱体の輪郭を認識することが可能となる。
【発明の効果】
【００２７】  以上説明したように請求項１の発明によれば、電気エネルギーにより照明する部位に対する適切な照明方法を用いているので、電力効率が低い問題点や使い捨ての問題点を解決できる。【００２８】  請求項２の発明によれば、請求項１と同様に電気エネルギーにより照明する部位に対する適切な照明方法を用いているので、電力効率が低い問題点や使い捨ての問題点を解決できる。【００２９】  請求項３の発明によれば、収納容器前底面と透光性パイプとの一体構造とした透光性パイプ内部に光源に用いるＬＥＤ基板や冷陰極管を挿入する保護構造を採用しているので、衝撃や割れによる問題点を解決できる。【００３０】  請求項４の発明によれば、砲弾型ＬＥＤの前部球面Ｒ半径の倍率関係になるように構成されたＲ半径を有する容器の光放射部と焦点を一致させ発光面積の拡大を施しているのでＬＥＤの数を削減でき、請求項２の発明に加算された電力効率の向上が可能となり、電力効率が低い問題点を解決できる。【００３１】  請求項５の発明によれば、面実装のＬＥＤにより前面より放出される光と、後面より放出される光の両方を利用するので、請求項１または請求項２の発明に加算された電力効率の向上が可能となり、電力効率が低い問題点を解決できる。【００３２】  請求項６の発明によれば、面実装のＬＥＤにより前面より放出される光と、後面より放出される光の両方を利用することが可能なため、仕切板外壁面に蓄光材を混合し蓄光層を形成することにより、相対関係にある他のＬＥＤより放出される光により蓄光層から放出さる反射間接光をも利用するので、請求項１または請求項２に請求項５の発明が付加された状態に、さらに加算された電力効率の向上が可能となり、電力効率が低い問題点を解決できる。【００３３】  請求項７の発明によれば、通常動作状態において５秒〜３０秒の通電時間と未通電時間を設定し、通電時間内はＬＥＤより放出される直接光と相対関係にある他のＬＥＤより放出される光エネルギーによる反射間接光との効率発光を、未通電時間内は仕切板外壁面の蓄光材に蓄えられた蓄光エネルギーによる発光を利用するので、未通電時間は電力消費が０となる蓄光材発光の省エネルギー性を活用し、電力効率が低い問題点を解決できる。【００３４】  請求項８の発明によれば、通常動作状態において５秒〜３０秒の通電時間と未通電時間を設定し、通電時間内はＬＥＤ又は冷陰極管より放出される直接光と蓄光材を混合して帯状に形成した蓄光層より放出される反射間接光との効率発光を、未通電時間内は帯状に形成した蓄光層に蓄えられた蓄光エネルギーによる発光を利用するので、未通電時間は電力消費が０となる蓄光材発光の省エネルギー性を活用し、電力効率が低い問題点を解決できる。【００３５】  請求項９の発明によれば、照明器具が点灯している間に箱体の上部開放口の縁に形成された蓄光層の蓄光材に蓄えられた蓄光エネルギーにより箱体の上部開放口の縁が発光し、箱体の輪郭を認識することが可能となり、蓄光材発光の省エネルギー効果を発揮できる。
【発明を実施するための最良の形態】
【００３６】  以下、本発明の実施形態を図１〜図６を参照して詳細に説明する。図１は本発明の照明付部材収納箱を開いた状態を示す斜視図、図２は照明付部材収納箱を閉じた状態の正面から見た内部断面図、図３は照明付部材収納箱を閉じた状態の正面から見た他の方法の内部断面図、図４は仕切板の構造説明図、図５は箱体下部の収納容器内壁面上部に固定された照明器具の説明図、図６は通電時間と未通電時間を示したタイムチャート図である。【００３７】  図１は、本発明の請求項１または請求項２に示した照明付部材収納箱を開いた状態の斜視図で、蝶番１によって連結された上下２分割の上箱２の天面中央に取って３を設け、下箱４に上下の箱を固定する留め具５を設けた箱体を形成し、箱体開閉時に小物部品を収納する第一収納容器６と第二収納容器７が連結棒８により昇降と平行移動をする。【００３８】  小物部品を収納する第一収納容器６と第二収納容器７には仕切板９が配置され、小物部品が整理し易く且つ夜間の黙視性向上の効果を果たすため、仕切板９の中央部にＬＥＤ収納スペース１０が設けられていて、小物部品を収納する収納容器内部を個別に照明する照明器具として機能する。【００３９】  図２は、本発明の請求項１に示した照明付部材収納箱を閉じた状態の正面から見た内部断面図で、蝶番１によって連結された上下２分割の上箱２と下箱４を開く時に、昇降と平行移動する小物部品を収納する第二収納容器７の前底面に、第二収納容器７と透光性パイプ１１との一体構造としたＬＥＤ基板や冷陰極管を保護する透光性パイプ１１を配設し、箱体を開く開角により照明位置を可変しつつ、下箱４の第三収納容器１２内部を照明する照明器具として機能させると共に、下箱４の第三収納容器１２内壁面後方上部に蓄光材を混合した蓄光層１３を帯状に形成し、透光性パイプ１１内に設けた光源から照射される光エネルギーにより蓄光層１３より反射間接光を放出することとなる。【００４０】  図３は、本発明の請求項２に示した照明付部材収納箱を閉じた状態の正面から見た他の方法の内部断面図で、小物部品を収納する収納容器内部を個別に照明する照明方法は請求項１と同じであるが、下箱４の第三収納容器１２内部を照明する照明器具１４は、下箱４の第三収納容器１２内壁面後方上部に蓄光材を混合し帯状に形成した蓄光層１３の上に固定された照明器具１４により、下箱４の第三収納容器１２全体を照明する照明方法を用いている点が異なる。【００４１】  図４は、本発明の請求項５または請求項６に示した仕切板９による照明器具の構造説明図で、仕切板９の核となるプリント基板１５の中央部にＬＥＤ収納スペース１０が設けられ、その中に面実装ＬＥＤが表と裏に対で実装され前面より放出される光と後面より放出される光の両方を利用できる様に面実装ＬＥＤ１６が収められ、導電回路１７と接続されたプリント基板１５を構成し、蓄光材を混合した透光性フイルム１８をプリント基板１５の両面に貼り付けている。【００４２】  上記仕切板９の構造により、面実装ＬＥＤの前面より放出される光と、後面より放出される光の両方を利用することが可能なため、蓄光材を混合した透光性フイルム１８は、相対関係にある他の面実装ＬＥＤ１６より放出される光により反���間接光を放出することとなる。【００４３】  図５は、本発明の請求項４に示した下箱４の第三収納容器１２内壁面後方上部に蓄光材を混合し帯状に形成した蓄光層１３の上に固定された照明器具１４の説明図で、砲弾型ＬＥＤ１９の前部球面Ｒ半径の倍率関係になるように構成されたＲ半径を有する容器２０の後部に溝２１を設け、溝２１に挿入された砲弾型ＬＥＤ１９の前部球面Ｒ半径と容器２０の光放射部と焦点を一致させ発光面積の拡大を施し、容器２０の光放射部より二次放出光２２を放出させ、少数のＬＥＤで効果的に照明するため発光面積の拡大を施している。【００４４】  図６は、本発明の請求項７または請求項８に示した通電時間と未通電時間を示したタイムチャート図で、（Ａ）のタイムチャートによると通電時間Ｔ１は最小値５秒で未通電時間Ｔ２は最大値３０秒としているので、光源より放出される直接光と蓄光材面からの反射間接光との共同発光が５秒で、蓄光材に蓄えられた蓄光エネルギーによる発光が３０秒となり、（Ｂ）のタイムチャートによると通電時間Ｔ１は１５秒で未通電時間Ｔ２も１５秒としているので、光源より放出される直接光と蓄光材面からの反射間接光との共同発光が１５秒で、蓄光材に蓄えられた蓄光エネルギーによる発光が１５秒となる。【００４５】  本発明の照明付部材収納箱の照明は、小物部品を収納する第一収納容器６と第二収納容器７と、中型や長尺の工具やリールやロッドの釣り道具を収納する下箱４の第三収納容器１２との部品の大きさの違いにより適切な照度となるように二つの回路で構成され、それぞれに対応する照度の違いを設定することを可能としている。【００４６】  小物部品を収納する第一収納容器６と第二収納容器７の照明動作は、留め具５の本体部に内蔵された起動スイッチＡ２３により下箱４に設けた留め具５の開放と連動した通電を開始し、（Ａ）のタイムチャートや、（Ｂ）のタイムチャート等の任意に設定された省エネルギーモードで通常運転がなされるが、第一収納容器６に設けた省エネルギーモード解除スイッチＡ２４を動作させることにより、未通電時間を停止させ１００％の照度を一時的に得ることもできる。【００４７】  また、中型や長尺の工具やリールやロッドの釣り道具を収納する下箱４の第三収納容器１２の照明動作は、第二収納容器７が第三収納容器１２の開放面積１／３以上を確保した時点で動作する起動スイッチＢ２５により開始され、（Ａ）のタイムチャートや、（Ｂ）のタイムチャート等の任意に設定された省エネルギーモードで通常運転がなされるが、下箱４に設けた省エネルギーモード解除スイッチＢ２６を動作させることにより、未通電時間を停止させ１００％の照度を一時的に得ることもできる。【００４８】  上記の照明動作は、通電時間Ｔ１やＴ３では光源より放出される直接光と反射間接光との効率発光を、未通電時間Ｔ２やＴ４では蓄光材に蓄えられた蓄光エネルギーによる発光を利用するもで、未通電時間のＴ２やＴ４では電力消費が０となる蓄光材発光の省エネルギー性を活用できる。【００４９】  そして、全照明器具が未通電時間となった時には、照明器具が点灯している間に箱体の上部開放口の縁に形成された蓄光層２７の蓄光材に蓄えられた蓄光エネルギーにより箱体の��部開放口の縁が発光し、箱体の輪郭を認識することが可能となり、蓄光材発光の省エネルギー効果を発揮できる。
【図面の簡単な説明】
【００５０】
【図１】本発明の照明付部材収納箱を開いた状態を示す斜視図である。
【図２】本発明の照明付部材収納箱を閉じた状態の正面から見た内部断面図である。
【図３】本発明の照明付部材収納箱を閉じた状態の正面から見た他の方法の内部断面図である。
【図４】本発明の仕切板の構造説明図である。
【図５】本発明の箱体下部の収納容器内壁面上部に固定された照明器具の説明図である。
【図６】本発明の通電時間と未通電時間を示したタイムチャート図である。
【符号の説明】
【００５１】１      蝶番
２      上箱
３      取って
４      下箱
５      留め具
６      第一収納容器
７      第二収納容器
８      連結棒
９      仕切板
１０    ＬＥＤ収納スペース
１１    透光性パイプ
１２    第三収納容器
１３    蓄光層
１４    照明器具
１５    プリント基板
１６    面実装ＬＥＤ
１７    導電回路
１８    透光性フイルム
１９    砲弾型ＬＥＤ
２０    容器
２１    溝
２２    二次放出光
２３    起動スイッチＡ
２４    解除スイッチＡ
２５    起動スイッチＢ
２６    解除スイッチＢ
２７    箱体の上部開放口の縁に形成された蓄光層
【図１】
2010264216.tif 000003
【図２】
2010264216.tif 000004
【図３】
2010264216.tif 000005
【図４】
2010264216.tif 000006
【図５】
2010264216.tif 000007
【図６】
2010264216.tif 000008